(57)【要約】【課題】医薬品のパッケージに取付けて使用し、薬の服用忘れや二重の服用を防止する。【解決手段】この服薬管理ラベルＬ２は、接着面２１、突出面２２からなる透明の基材２０と、突出面２２に剥離可能に積層される複数の記入ラベル２５からなるラベルシート２５Ｓとを備え、ＰＴＰシートＰ２の裏面に透明の基材２０を粘着剤２３により取り付けて、ＰＴＰシートＰ２の両側方にラベルシート２５Ｓを突出させ、医薬品を服用したときにプレススルーパッケージＰ２１の記入ラベル２５に医薬品を服用した日を含む医薬品の服用に関する記録を記入するようにした。【選択図】図５
2015033573.tif 000002
【特許請求の範囲】
【請求項１】
医薬品を封入する医薬品パッケージの片側一方の面に接着可能に形成され、医薬品パッケージの片側一方の面に対向する一方の面に粘着剤が塗布される接着面、及び当該接着面に連続し医薬品パッケージの外側に突出される突出面を有する透明の基材と、
前記透明の基材の突出面で前記粘着剤を塗布された面とは反対の他方の面に粘着剤を介して剥離可能に積層され、表面に医薬品パッケージ内の医薬品を服用した日を含む医薬品の服用に関する記録を筆記具により記入可能な記入ラベルと、
前記透明の基材の一方の面に積層され、前記粘着剤を保護するための剥離シートと、
を備え、
医薬品パッケージの片側一方の面に前記透明の基材を前記粘着剤により取り付けて医薬品パッケージの外側に前記記入ラベルを突出させ、医薬品を服用したときに前記記入ラベルに医薬品を服用した日を含む医薬品の服用に関する記録を記入するようにした、
ことを特徴とする服薬管理ラベル。
【請求項２】
複数の医薬品を各別に封入する複数の医薬品パッケージが連接してなる医薬品パッケージシートの片側一方の面に接着可能に形成され、医薬品パッケージシートの片側一方の面に対向する一方の面に粘着剤が塗布される接着面、及び当該接着面に連続し医薬品パッケージシートの一側方又は両側方に突出される突出面を有する透明の基材と、
前記透明の基材の突出面で前記粘着剤を塗布された面とは反対の他方の面に、前記医薬品パッケージ毎に切り離し可能に形成されて粘着剤により剥離可能に積層され、表面に医薬品パッケージ内の医薬品を服用した日を含む医薬品の服用に関する記録を筆記具により記入可能な複数の記入ラベルからなるラベルシートと、
前記透明の基材の一方の面に積層され、前記粘着剤を保護するための剥離シートと、
を備え、
医薬品パッケージシートの片側一方の面に前記透明の基材を前記粘着剤により取り付けて医薬品パッケージシートの側方又は両側方に前記ラベルシートを突出させ、医薬品を服用したときに当該医薬品パッケージの前記記入ラベルに医薬品を服用した日を含む医薬品の服用に関する記録を記入するようにした、
ことを特徴とする服薬管理ラベル。
【請求項３】
透明の基材の接着面の粘着剤が塗布される一方の面とは反対の他方の面上に突出面が剥離シートとともに倒伏可能に、前記接着面と前記突出面との間に前記剥離シートとともに折り目が付けられて、前記突出面が前記接着面の前記他方の面上に折り畳み可能に構成される請求項１又は２に記載の服薬管理ラベル。
【請求項４】
折り目は切れ目と繋ぎ目とからなる請求項３に記載の服薬管理ラベル。
【請求項５】
記入ラベルは医薬品に関する各種の情報を有する２次元コード又は１次元コードが付設される請求項１乃至３のいずれかに記載の服薬管理ラベル。
【請求項６】
透明の基材の接着面の医薬品パッケージの医薬品取り出し位置又は開封位置に対応する位置に、医薬品パッケージの破断とともに切り開き可能に切り込みが形成され、前記接着面の一方の面の医薬品パッケージの医薬品を取り出すための医薬品取り出し位置又は開封位置に対応する部分に、粘着剤を塗布しない処理、又は塗布された粘着剤の接着機能を抑制する処理が施される請求項１乃至５のいずれかに記載の服薬管理ラベル。
【発明の詳細な説明】
【技術分野】
【０００１】
本発明は医薬品の服用忘れ、二重服用などを防止し、医薬品を正しく服用するのに有用な服薬管理ラベルに関する。
【背景技術】
【０００２】
一般に、医薬品（特に内服薬）は、決められた分量を、指示された時間帯に服用する必要がある。医療機関で医師によって処方される医薬品は、患者の症状により、服用の量や種類が異なり、その用法は、１日一回朝若しくは夜、朝夜の２回、又は毎食後に１回ずつなど、薬を服用する時間帯はさまざまである。
医療機関で提供される医薬品には、錠剤、カプセル、粉末などがあり、それぞれ、製薬メーカーで包装されたパッケージの形で供給される。例えば、錠剤やカプセル（以下、単に錠剤等という。）の包装の場合、プレススルーパッケージ（ＰＴＰ）シートが広く用いられている。このＰＴＰシートは、錠剤等を１錠ずつ収容するための複数のポケットを有する透明プラスチック成形フィルムと、この錠剤の名称、内容量、製造元などが印刷され、プラスチック成形フィルムの裏面側に接着されて複数のポケットを封止するアルミシートとからなり、透明プラスチック成形フィルムの各ポケットに錠剤等を収容した後、このプラスチック成形フィルムの裏面にアルミシートを加熱接着して、錠剤等を封入するようになっている。また、このＰＴＰシートは通常、縦又は横又はその両方に切り込み（ミシン目）が付けられていて、このＰＴＰシートの錠剤等を１錠単位又は複数錠単位で切り離せるようになっている。なお、以下の説明では、錠剤等を１錠単位又は複数錠単位で切り離せるようにした部分をプレススルーパッケージと称することにする。このようにして錠剤を服用するときに、透明プラスチック成形フィルムのポケット側から錠剤を押すことにより、裏面のアルミシートがその錠剤の位置で破れて、錠剤を簡易に取り出すことができる。
このように医療機関から提供される医薬品は取扱いやすいパッケージで包装されているので、患者は医薬品の服用を容易に行うことができる。
【０００３】
ところが、このような医薬品のパッケージの取り扱いやすさとは別に、薬の用法が１日一回か複数回かに関らず、決められた時間帯に薬を飲み忘れたり、決められた時間帯に薬を飲んだことを失念して二重に飲んでしまったり、決められた時間帯に薬を飲んでいないにも拘わらず飲んだか飲まなかったかが不明となり、結果として飲まなかったりなど、医師に処方された医薬品をその用法通りに服用できないことが少なくない。
【０００４】
このため、従来は、薬を用法通りに服用するための対策として、薬を服用すべき日や時間帯毎に小分けにしておくことが行われている。そして、このような薬の服用方法をサポートするために、薬を小分けにして収納するためのカレンダー式の薬収納具や箱などが提案されており、その一例が特許文献１などにより開示されている。
例えば、この文献１の薬収納具は、薬を服用する人のために薬を服用時期に応じて分けて収納するもので、ボードの上に週間服用表が服用時期と服用日付を縦横の表として形成され、週間服用表の上に着脱手段を設けた薬収納袋配置部が配設され、各々の薬収納袋配置部に薬を服用時期に分けて収納する薬収納袋が装着されるようになっている。
このようなカレンダー式の薬収納具や容器を用いて、薬を服用すべき日、時間帯毎に薬を小分けにしておけば、各日、各時間帯の薬収納袋内を確認することで、薬を服用済みか否かが即時に分かり、薬の服用忘れや二重の服用を防止することができる。
【先行技術文献】
【特許文献】
【０００５】
【特許文献１】特開２００２−２９１８４８公報
【発明の概要】
【発明が解決しようとする課題】
【０００６】
しかしながら、薬を服用すべき日、時間帯毎に小分けにする作業は、手作業となり、薬の数だけ多くの手間が掛り、煩雑である、という問題がある。また、他面で、錠剤等の場合、錠剤等がＰＴＰシートで包装されているので、錠剤等を小分けしている間にＰＴＰシートのアルミシートを破いてしまうことがあり、ＰＴＰシートを破損してしまうと、薬の保存上好ましくない、という問題もある。
【０００７】
本発明は、このような従来の問題を解決するもので、医薬品のパッケージに取り付けて使用し、薬を用法通りに服用したか否かを確認することができ、医薬品の服用忘れ、二重の服用を防止することのできる服薬管理ラベルを提供すること、を目的とする。
【課題を解決するための手段】
【０００８】
（１）上記目的を達成するために、本発明の服薬管理ラベルは、医薬品を封入する医薬品パッケージの片側一方の面に接着可能に形成され、医薬品パッケージの片側一方の面に対向する一方の面に粘着剤が塗布される接着面、及び当該接着面に連続し医薬品パッケージの外側に突出される突出面を有する透明の基材と、前記透明の基材の突出面で前記粘着剤を塗布された面とは反対の他方の面に粘着剤を介して剥離可能に積層され、表面に医薬品パッケージ内の医薬品を服用した日を含む医薬品の服用に関する記録を筆記具により記入可能な記入ラベルと、前記透明の基材の一方の面に積層され、前記粘着剤を保護するための剥離シートとを備え、医薬品パッケージの片側一方の面に前記透明の基材を前記粘着剤により取り付けて医薬品パッケージの外側に前記記入ラベルを突出させ、医薬品を服用したときに前記記入ラベルに医薬品を服用した日を含む医薬品の服用に関する記録を記入するようにした、ことを要旨とする。
また、この服薬管理ラベルは、各部に次のような構成を備えることが好ましい。
（イ）透明の基材の接着面の粘着剤が塗布される一方の面とは反対の他方の面上に突出面が剥離シートとともに倒伏可能に、前記接着面と前記突出面との間に前記剥離シートとともに折り目が付けられて、前記突出面が前記接着面の前記他方の面上に折り畳み可能に構成される。
この場合、折り目は切れ目と繋ぎ目とからなる。
（ロ）記入ラベルは医薬品に関する各種の情報を有する２次元コード又は１次元コードが付設される。
（ハ）透明の基材の接着面の医薬品パッケージの医薬品取り出し位置又は開封位置に対応する位置に、医薬品パッケージの破断とともに切り開き可能に切り込みが形成され、前記接着面の一方の面の医薬品パッケージの医薬品を取り出すための医薬品取り出し位置又は開封位置に対応する部分に、粘着剤を塗布しない処理、又は塗布された粘着剤の接着機能を抑制する処理が施される。
（２）また、上記目的を達成するために、本発明の服薬管理ラベルは、複数の医薬品を各別に封入する複数の医薬品パッケージが連接してなる医薬品パッケージシートの片側一方の面に接着可能に形成され、医薬品パッケージシートの片側一方の面に対向する一方の面に粘着剤が塗布される接着面、及び当該接着面に連続し医薬品パッケージシートの一側方又は両側方に突出される突出面を有する透明の基材と、前記透明の基材の突出面で前記粘着剤を塗布された面とは反対の他方の面に、前記医薬品パッケージ毎に切り離し可能に形成されて粘着剤により剥離可能に積層され、表面に医薬品パッケージ内の医薬品を服用した日を含む医薬品の服用に関する記録を筆記具により記入可能な複数の記入ラベルからなるラベルシートと、前記透明の基材の一方の面に積層され、前記粘着剤を保護するための剥離シートとを備え、医薬品パッケージシートの片側一方の面に前記透明の基材を前記粘着剤により取り付けて医薬品パッケージシートの側方又は両側方に前記ラベルシートを突出させ、医薬品を服用したときに当該医薬品パッケージの前記記入ラベルに医薬品を服用した日を含む医薬品の服用に関する記録を記入するようにした、ことを要旨とする。
また、この服薬管理ラベルは、各部に次のような構成を備えることが好ましい。
（イ）透明の基材の接着面の粘着剤が塗布される一方の面とは反対の他方の面上に突出面が剥離シートとともに倒伏可能に、前記接着面と前記突出面との間に前記剥離シートとともに折り目が付けられて、前記突出面が前記接着面の前記他方の面上に折り畳み可能に構成される。
この場合、折り目は切れ目と繋ぎ目とからなる。
（ロ）記入ラベルは医薬品に関する各種の情報を有する２次元コード又は１次元コードが付設される。
（ハ）透明の基材の接着面の医薬品パッケージの医薬品取り出し位置又は開封位置に対応する位置に、医薬品パッケージの破断とともに切り開き可能に切り込みが形成され、前記接着面の一方の面の医薬品パッケージの医薬品を取り出すための医薬品取り出し位置又は開封位置に対応する部分に、粘着剤を塗布しない処理、又は塗布された粘着剤の接着機能を抑制する処理が施される。
【発明の効果】
【０００９】
（１）本発明の服薬管理ラベルによれば、上記（１）の構成により、医薬品パッケージの片側一方の面に透明の基材を粘着剤により取り付けて医薬品パッケージの外側に記入ラベルを突出させ、医薬品を服用したときに記入ラベルに医薬品を服用した日を含む医薬品の服用に関する記録を記入するようにしたので、医薬品の服用毎に記入後の記入ラベルをユーザーの身近なカレンダーや手帳に貼付したり、医薬品パッケージに貼付したりすることで、薬を用法通りに服用したか否かを確認することができ、これにより医薬品の服用忘れや二重の服用を防止することができる、という本発明固有の格別な効果を奏する。
（２）本発明の服薬管理ラベルによれば、上記（２）の構成により、医薬品パッケージシートの片側一方の面に透明の基材を粘着剤により取り付けて医薬品パッケージシートの側方又は両側方に複数の記入ラベルからなるラベルシートを突出させ、医薬品を服用したときに当該医薬品パッケージの記入ラベルに医薬品を服用した日を含む医薬品の服用に関する記録を記入するようにしたので、医薬品の服用毎に記入後の記入ラベルをユーザーの身近なカレンダーや手帳に貼付したり、医薬品パッケージに貼付したりすることで、薬を用法通りに服用したか否かを確認することができ、これにより医薬品の服用忘れや二重の服用を防止することができる、という本発明固有の格別な効果を奏する。
【図面の簡単な説明】
【００１０】
【図１】本発明の第１の実施の形態における服薬管理ラベルの構成を示す平面図（（ａ）は服薬管理ラベルの表面を示す図（ｂ）は服薬管理ラベルの裏面を示す図）
【図２】同服薬管理ラベルの使用例を示す平面図（（ａ）は医薬品の裏面で服薬管理ラベルの表面を示す図（ｂ）は医薬品の表面で服薬管理ラベルの裏面を示す図）
【図３】本発明の第２の実施の形態における服薬管理ラベルの構成を示す平面図（（ａ）は服薬管理ラベルの表面を示す図（ｂ）は服薬管理ラベルの裏面を示す図）
【図４】同服薬管理ラベルを適用する医薬品を包装されたＰＴＰシートを示す平面図（（ａ）はＰＴＰシートの表面を示す図（ｂ）はＰＴＰシートの裏面を示す図）
【図５】同服薬管理ラベルの使用例を示す平面図（（ａ）はＰＴＰシートの裏面で服薬管理ラベルの表面を示す図（ｂ）はＰＴＰシートの表面で服薬管理ラベルの裏面を示す図）
【図６】同服薬管理ラベルを用いた医薬品の服用管理方法を示し、同服薬管理ラベルをカレンダーに貼付した状態を示す図
【図７】同服薬管理ラベルを用いた医薬品の服用管理方法を示し、同服薬管理ラベルを手帳に貼付した状態を示す図
【図８】本発明の第３の実施の形態における服薬管理ラベルの構成を示す平面図（（ａ）は服薬管理ラベルの表面を示す図（ｂ）は服薬管理ラベルの裏面を示す図）
【図９】同服薬管理ラベルの使用例を示す平面図（（ａ）は医薬品の裏面で服薬管理ラベルの表面を示す図（ｂ）は医薬品の表面で服薬管理ラベルの裏面を示す図）
【図１０】本発明の第４の実施の形態における服薬管理ラベルの構成を示す平面図（（ａ）は服薬管理ラベルの表面を示す図（ｂ）は服薬管理ラベルの裏面を示す図）
【図１１】同服薬管理ラベルの接着面の接着側の一方の面で切り込みを入れた部分に各切り込み間に跨って粘着剤の接着機能を抑制する処理を施した状態を示す平面図及びその断面を拡大して示す拡大断面図
【図１２】同服薬管理ラベルの接着面の接着側の一方の面で切り込みを入れた部分に各切り込み毎に各別に粘着剤の接着機能を抑制する処理を施した状態を示す平面図及びその断面を拡大して示す拡大断面図
【図１３】同服薬管理ラベルの医薬品パッケージへの取り付け方を示す断面図
【図１４】同服薬管理ラベルの使用例を示す平面図（（ａ）はＰＴＰシートの裏面で服薬管理ラベルの表面を示す図（ｂ）はＰＴＰシートの表面で服薬管理ラベルの裏面を示す図）
【発明を実施するための形態】
【００１１】
次に、この発明を実施するための形態について図を用いて説明する。
図１に第１の実施の形態を示している。この服薬管理ラベルＬ１は錠剤、カプセル、粉末など各種の医薬品の医薬品パッケージに適用されるものである。
図１に示すように、服薬管理ラベルＬ１は、医薬品を封入する医薬品パッケージの片側一方の面に接着可能に形成され、医薬品パッケージの片側一方の面に対向する一方の面に粘着剤１３が塗布される接着面１１、及びこの接着面１１に連続し医薬品パッケージの外側に突出される突出面１２を有する透明の基材１０と、この基材１０の突出面１２で粘着剤１３を塗布された面とは反対の他方の面に粘着剤１４を介して剥離可能に積層され、表面に医薬品パッケージ内の医薬品を服用した日を含む医薬品の服用に関する記録を筆記具により記入可能な記入ラベル１５と、基材１０の一方の面に積層され、粘着剤１３を保護するための剥離シート１６とを備えて構成される。
【００１２】
この服薬管理ラベルＬ１では、透明の基材１０はポリエチレンフィルムやポリエステルフィルムなどの透明な樹脂フィルムで、接着面１１は医薬品パッケージの片側一方の面、この場合、医薬品パッケージの裏面に固定可能に所要の大きさ、形状に、突出面１２は医薬品の服用に関する記録を記入するのに必要な大きさ、形状に、それぞれ形成される。なお、この場合、透明の基材１０は、接着面１１が医薬品パッケージの裏面よりも小さい矩形状に、突出面１２が接着面１１と略同じか少し小さい矩形状に、それぞれ形成されて、全体として矩形状をなす。この透明の基材１０は医薬品パッケージの裏面に対向する一方の面全体に粘着剤１３が塗布され、これが剥離シート１６により保護される。
【００１３】
記入ラベル１５はポリプロピレンなどの樹脂材料を主原料とする合成紙で、基材をなす基層とその両面の紙状層とからなり、記入ラベル１５の表面となる一方の紙状層の表面に医薬品を服用した日を含む医薬品の服用に関する記録を記入するための記入欄１５０が印刷される。この場合、記入ラベル１５の記入欄１５０には、左側に上から順に、医薬品名として「マルキン１００」、この記入ラベルの引き剥がし方向の案内表示として「はがす（剥がす方向を示す矢印のマーク）」、この医薬品の用法として「（用法）１日３回食後服用、１回Ｏ錠」、使用期限を記入するための枠が印刷され、右側に上から順に、服薬日の記入欄として「  ／  」、服薬時間帯の表示として「朝  昼  晩」が印刷される。このようにして記入ラベル１５は裏面となる他方の紙状層の表面に粘着剤１４が塗布されて、透明の基材１０の突出面１２で粘着剤１３を塗布された面とは反対の他方の面に積層される。
【００１４】
剥離シート１６は、基材（グラシン紙など）と、目止め層（ポリエチレンラミネート層など）と、剥離層（シリコーン処理槽）とからなり、全体が透明の基材１０の片側一方の面と同じ大きさ、形状に形成される。この場合、剥離シート１６は全体が透明の基材１０の裏面の粘着剤１３を保護可能に基材１０裏面と同じ大きさの矩形状に形成される。また、この剥離シート１６は基材１０の接着面１１からと突出面１２からとに分けて剥離可能に接着面１１と突出面と１２の境界部に相当する部分に切り込み１６１が付けられる。このようにして剥離シート１６は基材１０の裏面に粘着剤１３を介して積層される。
【００１５】
服薬管理ラベルＬ１はこのようにして形成され、医薬品パッケージの裏面に透明の基材１０を粘着剤１３により取り付けて医薬品パッケージの外側に記入ラベル１５を突出させ、医薬品を服用したときに記入ラベル１５の記入欄１５０に医薬品を服用した日を含む医薬品の服用に関する記録を記入するようになっている。
【００１６】
図２にこの服薬管理ラベルの使用例を示している。まず、図２に示すように、この服薬管理ラベルＬ１を医薬品パッケージＰ１に取り付ける。この場合、服薬管理ラベルＬ１の接着面１１から剥離シート１６を剥がし取り、この接着面１１を粘着剤１３により医薬品パッケージＰ１の裏面に貼り付けて、服薬管理ラベルＬ１の突出面１２の記入ラベル１５を医薬品パッケージＰ１の一側方から突出させる。なお、この服薬管理ラベルＬ１は基材１０の接着面１１が透明なので、医薬品パッケージＰ１の裏面に医薬品の名称や内容量、使用期限、また、服用上の注意事項などが記載されているような場合でも、この服薬管理ラベルＬ１の貼付によって医薬品パッケージＰ１上の各種の記載事項を覆い隠すことがない。このようしてユーザーは、医薬品パッケージＰ１を開封し医薬品を服用する都度、医薬品パッケージＰ１の側方の記入ラベル１５の記入欄１５０に医薬品の服用に関する記録、この場合、医薬品を服用した日を筆記具で記入し、時間帯（朝・昼・晩）に筆記具で丸などの印を付ける。そして、図６、図７に示すように、この記入ラベルＬ１をカレンダーＣや手帳Ｄなどユーザーの身近なところに貼付する。また、記入後の記入ラベル１５を医薬品パッケージＰ１の側方に残置したり医薬品パッケージＰ１の上に貼り付けて、医薬品パッケージＰ１とともに医薬品パッケージＰ１の収納袋に戻して保管するのもよい。このようにすることで、薬を用法通りに服用したか否かを確認することができ、薬の用法が１日一回か複数回かに関らず、決められた時間帯に薬を飲み忘れたり、決められた時間帯に薬を飲んだことを失念して二重に飲んでしまったり、決められた時間帯に薬を飲んでいないにも拘わらず飲んだか飲まなかったかが不明となり、結果として飲まなかったりするなどといったことを防止することができる。
【００１７】
以上説明したように、この服薬管理ラベルＬ１では、医薬品パッケージＰ１の裏面に透明の基材１０を粘着剤１３により取り付けて医薬品パッケージＰ１の外側、この場合、一側方に記入ラベル１５を突出させ、医薬品を服用したときにこの記入ラベル１５の記入欄１５０に医薬品を服用した日を含む医薬品の服用に関する記録を記入するようにしたので、医薬品の服用毎に記入後の記入ラベル１５をユーザーの身近なカレンダーや手帳に貼付したり、医薬品パッケージに貼付したりすることで、医薬品を用法通りに服用したか否かを確認することができ、これにより医薬品の服用忘れや二重の服用を防止することができる。
【００１８】
図３に第２の実施の形態を示している。この服薬管理ラベルＬ２は錠剤又はカプセルを包装する医薬品パッケージシートであるＰＴＰシートに適用されるものである。
図４にＰＴＰシートの一例を示している。図４に示すように、このＰＴＰシートＰ２は、錠剤を１錠ずつ収容するための複数のポケット３０を有する透明プラスチック成形フィルム３１と、この錠剤の名称、内容量、製造元などが印刷され、プラスチック成形フィルム３１の裏面側に接着されて各ポケット３０を封止するアルミシート３２とからなり、透明プラスチック成形フィルム３１の各ポケット３０に錠剤等を収容した後、このプラスチック成形フィルム３１の裏面にアルミシート３２が加熱接着されて、錠剤等を封入するようになっている。また、このＰＴＰシートＰ２は、２つのポケット３０を有する複数のプレススルーパッケージ（医薬品パッケージ）Ｐ２１が切り込み（ミシン目）３３を介して連接してなり、各プレススルーパッケージＰ２１が１つずつ切り離せるようになっている。
図３に示すように、服薬管理ラベルＬ２は、複数の錠剤を各別に封入する複数のプレススルーパッケージＰ２１が連接してなるＰＴＰシートＰ２の片側一方の面に接着可能に形成され、ＰＴＰシートＰ２の片側一方の面に対向する一方の面に粘着剤２３が塗布される接着面２１、及びこの接着面２１に連続しＰＴＰシートＰ２の両側方に突出される突出面２２を有する透明の基材２０と、この基材２０の各突出面２２で粘着剤２３を塗布された面とは反対の他方の面に、プレススルーパッケージＰ２１毎に切り離し可能に形成されて粘着剤２４により剥離可能に積層され、表面にプレススルーパッケージＰ２１内の医薬品を服用した日を含む医薬品の服用に関する記録を筆記具により記入可能な複数の記入ラベル２５からなる２組のラベルシート２５Ｓと、透明の基材２０の一方の面に積層され、粘着剤２３を保護するための剥離シート２６とを備えて構成される。
【００１９】
この服薬管理ラベルＬ２では、透明の基材２０はポリエチレンフィルムやポリエステルフィルムなどの透明な樹脂フィルムで、接着面２１は医薬品パッケージの片側一方の面に固定可能に所要の大きさ、形状に、突出面２１は医薬品の服用に関する記録を記入するのに必要な大きさ、形状に、それぞれ形成される。この場合、透明の基材２０は、接着面２１がＰＴＰシートＰ２の裏面と略同じ大きさの矩形状に、各突出面２２が接着面２１と略同じ大きさの矩形状に、それぞれ形成されて、全体として矩形状をなす。また、この基材２０の接着面２１には、ＰＴＰシートＰ２の各プレススルーパッケージＰ２１の各ポケット３０に対応する各位置に当該各ポケット３０の縁部に沿って又は縁部の少し外側に沿って少なくとも１箇所に接着面２１の本体に対する繋ぎ部を有して略円形の切り込み２１１が付けられる。このようにして透明の基材２０はＰＴＰシートＰ２裏面に対向する一方の面全体に粘着剤２３が塗布され、これが剥離シート２６により保護される。
【００２０】
各ラベルシート２５Ｓはポリプロピレンなどの樹脂材料を主原料とする合成紙で、基材をなす基層とその両面の紙状層とからなる。各ラベルシート２５Ｓは各プレススルーパッケージＰ２１に対応して複数の切り込み２５１が付けられて複数の記入ラベル２５が切り離し可能に形成され、各記入ラベル２５の表面となる一方の紙状層の表面に医薬品を服用した日を含む医薬品の服用に関する記録を記入するための記入欄２５０が印刷される。この場合、各記入ラベル２５の記入欄２５０には、左右のいずれか一方に上から順に、医薬品名として「マルキン１００」、この記入ラベルの引き剥がし方向の案内表示として「はがす  （剥がす方向を示す矢印のマーク）」、この医薬品の用法として「（用法）１日３回食後服用、１回Ｏ錠」、使用期限を記入するための枠が印刷され、他方に上から順に、服薬日の記入欄として「  ／  」、服薬時間帯の表示として「朝  昼  晩」が印刷される。なお、図３では、左側の記入ラベルに用法の表示がないものを例示している。このようにしてラベルシート２５Ｓは各記入ラベル２５の裏面となる他方の紙状層の表面に粘着剤２４が塗布されて、透明の基材２０の各突出面２２で粘着剤２３を塗布された面とは反対の他方の面に、各プレススルーパッケージＰ２１に対応可能に積層配置される。
【００２１】
剥離シート２６は、基材（グラシン紙など）と、目止め層（ポリエチレンラミネート層など）と、剥離層（シリコーン処理槽）とからなり、全体が透明の基材２０の片側一方の面と同じ大きさ、形状に形成される。この場合、剥離シート２６は全体が透明の基材２０の裏面の粘着剤２３を保護可能に基材２０裏面と同じ大きさの矩形状に形成される。また、この剥離シート２６は基材２０の接着面２１からと各突出面２２からとに分けて剥離可能に接着面２１と各突出面２２との境界部に相当する部分に切り込み２６１が付けられる。このようにして剥離シート２６は透明の基材２０の裏面に粘着剤２３を介して積層される。
【００２２】
服薬管理ラベルＬ２はこのようにして形成され、ＰＴＰシートＰ２の裏面に透明の基材２０を粘着剤２３により取り付けてＰＴＰシートＰ２の両側方にラベルシート２５Ｓを突出させ、医薬品を服用したときに各記入ラベル２５の記入欄２５０に医薬品を服用した日を含む医薬品の服用に関する記録を記入するようになっている。
【００２３】
図５にこの服薬管理ラベルの使用例を示している。まず、図５に示すように、この服薬管理ラベルＬ２をＰＴＰシートＰ２に取り付ける。この場合、服薬管理ラベルＬ２の接着面２１から剥離シート２６を剥がし取り、この接着面２１を粘着剤２３によりＰＴＰシートＰ２の裏面に貼り付けて、服薬管理ラベルＬ２の各突出面２２のラベルシート２５ＳをＰＴＰシートＰ２の両側方から突出させる。この服薬管理ラベルＬ２の貼付により、ＰＴＰシートＰ２の裏面が基材２０の接着面２１で覆われるが、基材２０の接着面２１が透明なので、ＰＴＰシートＰ２の各プレススルーパッケージＰ２１の裏面に医薬品の名称や内容量、使用期限、また、服用上の注意事項などが記載されているような場合でも、この服薬管理ラベルＬ２の貼付によって各プレススルーパッケージＰ２１上の各種の記載事項を覆い隠すことがない。また、この場合、服薬管理ラベルＬ２がＰＴＰシートＰ２の裏面に貼付されたことで、基材２０の接着面２１がＰＴＰシートＰ２の裏面を保護して、アルミシート３２の破損を防止することができる。また、基材２０の接着面２１にはＰＴＰシートＰ２の各ポケット３０に対応して略円形の切り込み２１１が設けられているので、ＰＴＰシートＰ２から錠剤を取り出すときは、通常のとおり、透明プラスチック成形フィルム３１のポケット３０側から錠剤を押すことにより、裏面のアルミシート３２が切り込み２１１の位置で破れて、錠剤を簡単に取り出すことができる。
このようしてユーザーは、医薬品パッケージを開封し医薬品を服用する都度、ＰＴＰシートＰ２の両側方の記入ラベル２５の記入欄２５０に医薬品の服用に関する記録、この場合、医薬品を服用した日を筆記具で記入し、時間帯（朝・昼・晩）に筆記具で丸などの印を付ける。
そして、図６、図７に示すように、この記入ラベルＬ２をカレンダーＣや手帳Ｄなどユーザーの身近なところに貼付する。また、記入後の記入ラベルＬ２をＰＴＰシートＰ２の側方に残置したり、錠剤が取り出されて服用済みのプレススルーパッケージＰ２１の上に貼り付けて、ＰＴＰシートＰ２とともにＰＴＰシートＰ２の収納袋に戻して保管したりするのもよい。このようにすることで、薬を用法通りに服用したか否かを確認することができ、薬の用法が１日一回か複数回かに関らず、決められた時間帯に薬を飲み忘れたり、決められた時間帯に薬を飲んだことを失念して二重に飲んでしまったり、決められた時間帯に薬を飲んでいないにも拘わらず飲んだか飲まなかったかが不明となり、その結果、飲まなかったりするといったことを防止することができる。
【００２４】
以上説明したように、この服薬管理ラベルＬ２によれば、ＰＴＰシートＰ２の片側一方の面に透明の基材２０を粘着剤２３により取り付けてＰＴＰシートＰ２の両側方にラベルシート２５Ｓを突出させ、医薬品を服用したときに薬品が入っていたプレススルーパッケージＰ２１の記入ラベル２５の記入欄２５０に医薬品を服用した日を含む医薬品の服用に関する記録を記入するようにしたので、医薬品の服用毎に記入後の記入ラベル２５をユーザーの身近なカレンダーや手帳に貼付したり、ＰＴＰシートに貼付したりすることで、薬を用法通りに服用したか否かを確認することができ、これにより医薬品の服用忘れや二重の服用を防止することができる。
また、この服用管理ラベルＬ２では、ＰＴＰシートＰ２の裏面に貼付することで、基材２０の接着面２１がＰＴＰシートＰ２の裏面を保護することができ、アルミシート３２の破損を防止して、薬を良好に保存することができる。
【００２５】
なお、この第２の実施の形態では、ＰＴＰシートＰ２が、２つのポケット３０を有する複数のプレススルーパッケージＰ２１が切り込み（ミシン目）３３を介して連接して構成されるタイプになっているので、透明の基材２０にＰＴＰシートＰ２の両側方に突出する突出面２２を設け、これらの突出面２２にそれぞれラベルシート２５Ｓを積層したが、１つのポケットを有する複数のプレススルーパッケージが切り込み（ミシン目）を介して連接して構成されるタイプや、複数のポケットを有する複数のプレススルーパッケージが切り込み（ミシン目）を介して連接して構成されるタイプでも１回に１つのプレススルーパッケージに収納された複数の錠剤をすべて服用するような場合では、透明の基材の突出面をＰＴＰシートの一側方に設け、この突出面にラベルシートを積層すればよい。
また、この実施の形態では、ＰＴＰシートを錠剤の収納用として例示したが、カプセルの収納用であっても同様である。
このようにしても上記第２の実施の形態と同様の作用効果を得ることができる。
【００２６】
また、上記第２の実施の形態では、透明の基材２０に、ＰＴＰシートＰ２の各プレススルーパッケージＰ２１の各ポケット３０に対応して略円形の切り込み２１１が設けられているが、ＰＴＰシートＰ２からの錠剤やカプセルの取り出しやすさを重視する場合には、透明の基材２０に、ＰＴＰシートＰ２の各プレススルーパッケージＰ２１の各ポケット３０に対応して、切り込みに代え、穴が打抜き形成されてもよい。このようにすることで、アルミシート３２の各ポケット３０に対応する部分の保護がなくなるものの、アルミシート３２が各ポケット３０に対応する部分で破けやすくなって、錠剤やカプセルを容易に取り出すことができる。
【００２７】
さらに、上記第１、第２の各実施の形態では、透明の基材１０、２０の突出面１２、２２の裏面側を剥離シート１６、２６で被覆した状態にして例示しているが、この突出面１２、２２の裏面側を医薬品に関する情報などの表示面として利用してもよい。
【００２８】
図８に第３の実施の形態を示している。この服薬管理ラベルＬ３は、第１の実施の形態と同様に、錠剤、カプセル、粉末など各種の医薬品の医薬品パッケージに適用されるもので、第１の実施の形態と共通の構成を備える。なお、この服薬管理ラベルＬ３において、第１の実施の形態と同様の部材には同じ符号を付してある。また、この服薬管理ラベルＬ３は、折り畳み構造、医薬品に関する各種の情報などを格納する２次元コード又は１次元コードを有する点、さらに、切り込みが任意に設けられる点で、第１の実施の形態と異なる。この第３の実施の形態では、第１の実施の形態とは異なる点についてのみ、新たな符号を付して説明する。
【００２９】
図８に示すように、服薬管理ラベルＬ３は、透明の基材１０の接着面１１の粘着剤１３が塗布される一方の面（以下、接着側の面という。この面は図８の紙面上から見てこの紙面の裏側となる。）とは反対の他方の面（以下、非接着側の面という。この面は図８の紙面上から見てこの紙面の表側となる。）上に突出面１２が剥離シート１６とともに倒伏可能に、接着面１１と突出面１２との間に剥離シート１６とともに切れ目１７０と繋ぎ目１７１からなる折り目１７が付けられて、突出面１２が記入ラベル１５を内側にして接着面１１の非接着側の面上に折り畳み可能に構成される。この場合、折り目１７は抜き型加工により、接着面１１と突出面１２との境界に剥離シート１６とともに、切れ目１７０が長く、繋ぎ目１７１が短く切り目１７０間に点状に形成されてなる。
この服薬管理ラベルＬ３はまた、選択的に、透明の基材１０の一部に基材延長部（図示省略。図１０の第４の実施の形態を参照。）が接着面１１の非接着側の面上に折り畳み可能に形成され、この基材延長部に記入ラベル１５の使用方法を記載されたラベル付属シートが積層される。この場合、基材延長部は、例えば突出面１２の接着面１１側の側部とは反対側の側部に連接され、この基材延長部が接着面１１の非接着側の面上に突出面１２の上から折り畳み可能に、突出面１２と基材延長部との間に剥離シート１６とともに切れ目と繋ぎ目とからなる折り目が付けられる。そして、この基材延長部の記入ラベル１５と同じ側の面にラベル付属シートが粘着剤を介して積層、接着される。このようにして基材延長部はラベル付属シートを外側にして接着面１１の非接着側の面上に突出面１２を介して折り畳み可能に形成される。なお、この場合、基材延長部のラベル付属シートとは反対側の面は一方の突出面１２とともに粘着剤が塗布され、剥離シート１６が設けられる。また、このラベル付属シートを有する基材延長部は接着面１１の他の縁部に設けてもよく、この場合も、同様にして接着面１１の非接着側の面上に折り畳み可能に構成される。
【００３０】
また、この服薬管理ラベルＬ３では、記入ラベル１５に、第１の実施の形態の、医薬品の用法として「（用法）１日３回食後服用、１回Ｏ錠」、使用期限を記入するための枠の印刷に代えて、医薬品に関する各種の情報を有する２次元コード１８又は１次元コードが印刷により付される。この場合、２次元コード１８は所謂ＱＲコード（登録商標）で、このＱＲコード（登録商標）１８は、周知のとおり、スマートフォンやカメラ付きの携帯電話のカメラを使って撮影し、スマートフォンや携帯電話に搭載されたコード読取機能により読み取るもので、この服薬管理ラベルＬ３には、医薬品の用法、使用期限、医薬品の効能などの医薬品に関する各種の情報又は医薬品供給元のＵＲＬ（Ｕniform Ｒesourse Ｌocator）が格納される。また、１次元コードについては特に図示していないが、この場合は、所謂バーコードが用いられる。バーコードは、周知のとおり、コードリーダーやスキャナにより読み取り可能で、このバーコードに例えば業務用などの医薬品に関する情報が格納される。
【００３１】
なお、この服薬管理ラベルＬ３は、医薬品の取り出し位置や開封位置が決まっている医薬品パッケージに適用される場合であれば、この服薬管理ラベルＬ３の接着面１１に医薬品パッケージの医薬品の取り出し位置又は開封位置に合わせて切り込み（図示省略）が付けられてもよい。この場合、切り込みは、透明の基材１０の接着面１１の、医薬品パッケージの医薬品の取り出し位置又は開封位置に対応する位置に医薬品パッケージの破断とともに切り開き可能に形成する（図１０の第４の実施の形態を参照）。また、接着面１１の接着側の面は粘着剤１３が塗布されて医薬品パッケージに接着可能になっているが、この接着面１１の医薬品パッケージの医薬品の取り出し位置又は開封位置に対応する部分は、予め、粘着剤１３を塗布しない処理、又は塗布された粘着剤１３に有害性物質を含まない糊止め剤（粘着剤の接着機能を抑制する処理剤）を印刷するなどして、粘着剤１３の接着機能を抑える処理を施しておく（図１１、図１２の第４の実施の形態を参照）。
【００３２】
図９にこの服薬管理ラベルＬ３の使用例を示している。この服薬管理ラベルＬ３の使用方法は第１の実施の形態と同様であり、既に説明したとおりである。そして、この服薬管理ラベルＬ３の場合、記入ラベル１５が貼り付けられた突出面１２が（この突出面１２に記入ラベル１５を貼り付けられた基部延長部が連接された場合はこの基部延長部とともに）折り目１７を介して接着面１１の非接着側の面上に折り畳み可能に構成されるので、ユーザーは、医薬品パッケージにこの服薬管理ラベルＬ３を取り付けた後、医薬品を服用しない間は、医薬品パッケージの外側の突出面１２を剥離シート１６とともに（突出面１２に記入ラベル１５を貼り付けられた基部延長部が連接された場合はこの基部延長部とともに）医薬品パッケージの裏面の接着面１１の非接着側の面上に折り畳むことができ、服薬管理ラベルＬ３を折り畳むことで、医薬品パッケージが服薬管理ラベルＬ３とともに手に持ちやすくなり、また、鞄や薬ケースの中にコンパクトに収納することができる。また、この服薬管理ラベルＬ３は機械で折り畳むことが可能である。
また、この服薬管理ラベルＬ３には医薬品に関する情報又はＵＲＬを格納したＱＲコード（登録商標）１８が付されたことで、ユーザーはスマートフォンや携帯電話を使って、ＱＲコード（登録商標）１８に格納された医薬品に関する情報を直接確認することができ、又は２次元コード１８に格納された医薬品の供給元のＵＲＬからインターネットに接続して医薬品の供給元のウェブページから医薬品に関する情報を取得することができる。また、この服薬管理ラベルＬ３に医薬品に関する情報を格納したバーコードが付された場合は、ユーザーはコードリーダーやスキャナを使って、バーコードに格納された医薬品に関する情報を得ることができる。
さらに、この服薬管理ラベルＬ３の接着面１１に医薬品パッケージの医薬品の取り出し位置又は開封位置に合わせて切り込みが付けられた場合は、医薬品パッケージに服薬管理ラベルＬ３が取り付けられていても、この切り込みにより、医薬品パッケージの開封をスムーズに行うことができる。この場合、切り込みは接着面１１の医薬品パッケージの医薬品の取り出し位置又は開封位置に対応する位置に医薬品パッケージの破断とともに切り開き可能に形成されるので、医薬品パッケージの医薬品の取り出し位置又は開封位置の破断とともに服薬管理ラベルＬ３の接着面１１が同じ位置で切り開かれる。また、この場合、接着面１１の接着側の面で医薬品パッケージの破断部分に対応する部分は粘着剤１３が塗布されていないか、又は塗布された粘着剤１３が糊止め剤などにより粘着剤１３の接着機能が抑えられているので、この医薬品パッケージから医薬品を、服薬管理ラベルＬ３の接着面１１の粘着剤１３が医薬品に付着することなく、取り出し、又は、直接口の中に投入することができる。
【００３３】
以上説明したように、この服薬管理ラベルＬ３では、透明の基材１０の接着面１１の非接着側の面上に突出面１２を剥離シート１６とともに倒伏可能に、接着面１１と突出面１２との間に剥離シート１６とともに切れ目１７０と繋ぎ目１７１とからなる折り目１７を付けて、突出面１２を接着面１１の非接着側の面上に折り畳み可能に構成し、また、透明の基材１０の一部に記入ラベルを貼り付けた基材延長部を設けた場合は、この基材延長部を接着面１１の非接着側の面上に折り畳み可能に形成したので、医薬品パッケージに服薬管理ラベルＬ３を取り付けていても、医薬品パッケージの携帯性、収納性の向上を図ることができる。
また、この服薬管理ラベルＬ３では、記入ラベル１５に医薬品に関する各種の情報又はこの医薬品の供給元のＵＲＬを格納した２次元コード１８を付設したので、ユーザーは、スマートフォンやカメラ付きの携帯電話から、２次元コード１８に格納された医薬品に関する各種の情報又は医薬品の供給元のウェブページでの医薬品に関する情報を得ることができる。また、記入ラベル１５に医薬品に関する各種の情報を格納した１次元コードを付設することでも、ユーザーが、コードリーダーやスキャナを使って、１次元コードに格納された医薬品に関する各種の情報を得ることができる。
さらに、この服薬管理ラベルＬ３によれば、透明の基材１０の接着面１１に医薬品パッケージの医薬品取り出し位置又は開封位置の破断とともに切り開き可能に切り込みを形成することで、医薬品パッケージの医薬品の取り出し位置又は開封位置の破断とともに服薬管理ラベルＬ３の接着面１１を同じ位置で切り開いて、この医薬品パッケージから医薬品を容易に取り出すことができ、また、この場合、服薬管理ラベルＬ３の基材１０の接着面１１の粘着剤１３が塗布される接着側の面の、医薬品パッケージの破断部分に対応する部分に粘着剤１３を塗布しない処理又はその接着機能を抑える処理を施すことで、医薬品に粘着剤１３が付着することがなく、医薬品を安心して服用することができる。
【００３４】
図１０に第４の実施の形態を示している。この服薬管理ラベルＬ４は、第２の実施の形態と同様に、錠剤又はカプセルを包装する医薬品パッケージシートであるＰＴＰシートに適用されるもので、第２の実施の形態と共通の構成を備える。なお、この服薬管理ラベルＬ４において、第２の実施の形態と同様の部材には同じ符号を付してある。また、この服薬管理ラベルＬ４は、折り畳み構造、医薬品に関する各種の情報等を格納する２次元コード又は１次元コードを有する点、さらに、切り開き形式の異なる切り込みを有する点で、第２の実施の形態と異なる。この第４の実施の形態では、第２の実施の形態とは異なる点についてのみ、新たな符号を付して説明する。
【００３５】
図１０に示すように、服薬管理ラベルＬ４は、透明の基材２０の接着面２１の粘着剤２３が塗布される一方の面（以下、接着側の面という。この面は図１０の紙面上から見てこの紙面の裏側となる。）とは反対の他方の面（以下、非接着側の面という。この面は図１０の紙面上から見てこの紙面の表側となる。）上に各突出面２２が剥離シート２６とともに倒伏可能に、接着面２１と各突出面２２との間に剥離シート２６とともに切れ目２７０と繋ぎ目２７１とからなる折り目２７が付けられて、各突出面２２がラベルシート２５Ｓを内側にして接着面２１の非接着側の面上に折り畳み可能に構成される。この場合、各折り目２７は抜き型加工により、接着面２１と各突出面２２との境界に剥離シート２６とともに、切れ目２７０が長く、繋ぎ目２７１が短く切り目２７０間に点状に形成されてなる。
この服薬管理ラベルＬ４はまた、選択的に、透明の基材２０の一部に基材延長部２０１が接着面２１の非接着側の面上に折り畳み可能に形成され、この基材延長部２０１にラベルシート２５Ｓの使用方法を記載されたラベル付属シート２５２が積層、接着される。
この場合、基材延長部２０１は、一方の突出面２２の接着面２１側の側部とは反対側の側部に連接され、この基材延長部２０１が接着面２１の非接着側の面上に一方の突出面２２の上から折り畳み可能に、一方の突出面２２と基材延長部２０１との間に剥離シート２６とともに切れ目２９０と繋ぎ目２９１とからなる折り目２９が付けられる。そして、この基材延長部２０１のラベルシート２５Ｓと同じ側の面にラベル付属シート２５２が粘着剤２４を介して積層、接着される。このようにして基材延長部２０１はラベル付属シート２５２を外側にして接着面２１の非接着側の面上に一方の突出面２２を介して折り畳み可能に設けられる。なお、この場合、基材延長部２０１のラベル付属シート２５２とは反対側の面は一方の突出面２２とともに粘着剤２３を塗布され、剥離シート２６が設けられる。また、このラベル付属シート２５２を有する基材延長部２０１は他方の突出面２２に連接して設けてもよく、接着面２１の他の縁部に設けてもよく、この場合も、同様にして接着面２１の非接着側の面上に折り畳み可能に構成される。
【００３６】
また、この服薬管理ラベルＬ４では、ラベルシート２５Ｓの各記入ラベル２５に、第２の実施の形態の、医薬品の用法として「（用法）１日３回食後服用、１回Ｏ錠」、使用期限を記入するための枠の印刷に代えて、医薬品に関する各種の情報を有する２次元コード２８又は１次元コードが印刷により付される。この場合、２次元コード２８は所謂ＱＲコード（登録商標）で、このＱＲコード（登録商標）２８は、周知のとおり、スマートフォンやカメラ付きの携帯電話のカメラを使って撮影し、スマートフォンや携帯電話に搭載されたコード読取機能により読み取るもので、この服薬管理ラベルＬ４には、医薬品の用法、使用期限、医薬品の効能などの医薬品に関する各種の情報又は医薬品供給元のＵＲＬが格納される。また、１次元コードの場合は、所謂バーコードが用いられる。バーコードは、周知のとおり、コードリーダーやスキャナにより読み取り可能で、このバーコードに例えば業務用などの医薬品に関する情報が格納される。なお、この場合、ＱＲコード（登録商標）２８をラベルシート２５Ｓの記入ラベル２５毎に設けたが、ラベルシート２５Ｓ中の任意の一箇所に設けてもよい。
【００３７】
さらに、この服薬管理ラベルＬ４は、この服薬管理ラベルＬ４の接着面２１に医薬品パッケージの医薬品の取り出し位置又は開封位置に合わせて切り込み３４が付けられる。この場合、切り込み３４は、基材２０の接着面２１の、ＰＴＰシートＰ２のアルミシート３２上で各プレススルーパッケージＰ２１の各ポケット３０に対応する各位置に対応する各部分に、略×形と略＋形を重ね合わせてなる複合形状に形成される。また、この場合、接着面２１の接着側の面は粘着剤２３が塗布されて医薬品パッケージに接着可能になっているが、図１１、図１２に示すように、この接着面２１の、ＰＴＰシートＰ２のアルミシート３２上で各プレススルーパッケージＰ２１の各ポケット３０に対応する各位置に対応する各部分は、予め、粘着剤２３を塗布しない処理、又は塗布された粘着剤２３に有害性物質を含まない糊止め剤（粘着剤の接着機能を抑制する処理剤）を印刷するなどして、粘着剤２３の接着機能を抑える処理が施される。なお、この粘着剤２３を塗布しない処理、又は塗布された粘着剤２３の接着機能を抑制する処理を行う場合、図１１に示すように、この処理を左右の切り込み３４間に跨って例えば略長方形状にして施すようにしてもよく、図１２に示すように、左右の切り込み３４毎に各別に例えば略円形状にして施すようにしてもよい。
【００３８】
図１３、図１４にこの服薬管理ラベルＬ４の使用例を示している。図１３に示すように、服薬管理ラベルＬ４から剥離紙２６を剥がし、この服薬管理ラベルＬ４にＰＴＰシートＰ２を貼り付ける。この服薬管理ラベルＬ４の取り付け、使用方法は第２の実施の形態と同様であり、既に説明したとおりである。そして、図１４に示すように、この服薬管理ラベルＬ４はラベルシート２５Ｓが貼り付けられた各突出面２１がラベル付属シート２５２を貼り付けられた基部延長部２０１とともに接着面２１の非接着側の面上に折り畳み可能に構成されるので、ユーザーは、医薬品パッケージにこの服薬管理ラベルＬ４を取り付けた後、医薬品を服用しない間は、医薬品パッケージの外側の各突出面２２を剥離シート２６とともに医薬品パッケージの裏面の透明の基材２０の接着面２１の非接着側の面上に折り畳むことができ、服薬管理ラベルＬ４を折り畳むことで、医薬品パッケージが服薬管理ラベルＬ４とともに手に持ちやすくなり、また、鞄や薬ケースの中にコンパクトに収納することができる。また、この服薬管理ラベルＬ４は機械で折り畳むことが可能である。
また、この服薬管理ラベルＬ４には医薬品に関する情報又はＵＲＬを格納したＱＲコード（登録商標）２８が付されたことで、ユーザーはスマートフォンや携帯電話を使って、ＱＲコード（登録商標）２８に格納された医薬品に関する情報を直接、又はＱＲコード（登録商標）２８に格納された医薬品の供給元のＵＲＬからインターネットに接続して医薬品の供給元のウェブページから医薬品に関する情報を取得することができる。また、この服薬管理ラベルＬ４に医薬品に関する情報を格納したバーコードが付された場合は、ユーザーはコードリーダーやスキャナを使って、バーコードに格納された医薬品に関する情報を得ることができる。
さらに、この服薬管理ラベルＬ４の接着面２１には医薬品パッケージの医薬品の取り出し位置又は開封位置、この場合、ＰＴＰシートＰ２のアルミシート３２上で各プレススルーパッケージＰ２１の各ポケット３０に対応する各位置に、略×形と略＋形の複合形状からなる切り込み３４が付けられているので、ＰＴＰシートＰ２のアルミシート３２に服薬管理ラベルＬ４の接着面２１が取り付けられていても、これらの切り込み３４により、ＰＴＰシートＰ２の各プレススルーパッケージＰ２１の開封を簡易にスムーズに行うことができる。この場合、透明の基材２０の接着面２１の、ＰＴＰシートＰ２のアルミシート３２上で各プレススルーパッケージＰ２１の各ポケット３０に対応する位置に対応する各部分に、アルミシート３２の破断とともに切り開き可能に切り込み３４が形成されているので、ＰＴＰシートＰ２のアルミシート３２上で各プレススルーパッケージＰ２１の各ポケット３０に対応する位置の破断とともに服薬管理ラベルＬ３の接着面２１が同じ位置で切り開かれる。また、この場合、接着面２１の接着側の面で、ＰＴＰシートＰ２のアルミシート３２上で各プレススルーパッケージＰ２１の各ポケット３０に対応する位置に対応する各部分は、粘着剤２３が塗布されていないか、又は塗布された粘着剤２３に有害性物質を含まない糊止め剤などにより粘着剤２３の接着機能が抑えられているので、このＰＴＰシートＰ２の各プレススルーパッケージＰ２１から医薬品を、服薬管理ラベルＬ４の接着面２１の粘着剤２３が医薬品に付着することなく、容易に取り出し、又は直接口の中に投入することができる。さらに言えば、透明の基材２０の接着面２１とＰＴＰシートＰ２のアルミシート３２がアルミシート３２の破断部分に対応する部分を除いて粘着剤２３でしっかり接着されるので、アルミシート３２が接着面２１の切り込み３４のところで破断されたときに、アルミシート３２の破断部分と接着面２１の切り込み３４は個々に開き、また、粘着剤２３が医薬品に付着したり医薬品が粘着剤２３により出にくくなったりすることがなく、ユーザーは医薬品を容易かつ安心して取り出すことができる。また、接着面２１とアルミシート３２がアルミシート３２の破断部分に対応する部分を除いて粘着剤２３でしっかり接着されることで、アルミシート３２が接着面２１の切り込み３４のところで破断されたときに、アルミシート３２の破断された部分、接着面２１の切り込み３４が個々に外側に広がり、この切り込み３４の形状がプレススルーパッケージＰ２１のポケット３０から突出する例えば錠剤を押え保持するので、錠剤はポケット３０と外側に向けて広がる切り込み３４との間に留まり、ポケット３０からポロっと落ちるようなことがない。
【００３９】
以上説明したように、この服薬管理ラベルＬ４では、透明の基材２０の各突出面２２を接着面２１の非接着側の面上に剥離シート２６とともに倒伏可能に、接着面２１と各突出面２２との間に剥離シート２６とともに切れ目２７０と繋ぎ目２７１とからなる折り目２７を付けて、各突出面２２を接着面２１の非接着側の面上に折り畳み可能に構成し、また、透明の基材２０の一方の突出面２２に連接してラベル付属シート２５２を貼り付けた基材延長部２０１を設け、この基材延長部２０１を接着面２１の非接着側の面上に一方の突出面２２を介して折り畳み可能に形成したので、医薬品パッケージに服薬管理ラベルＬ４を取り付けていても、医薬品パッケージの携帯性、収納性の向上を図ることができる。
また、この服薬管理ラベルＬ４では、各ラベルシート２５Ｓの各記入ラベル２５に医薬品に関する各種の情報又はこの医薬品の供給元のＵＲＬを有する２次元コード２８を付設したので、ユーザーは、スマートフォンやカメラ付きの携帯電話から、２次元コード２８に格納された医薬品に関する各種の情報又は医薬品の供給元のウェブページでの医薬品に関する情報を得ることができる。また、各ラベルシート２５Ｓの各記入ラベル２５に医薬品に関する各種の情報を有する１次元コードを付設することで、ユーザーは、コードリーダーやスキャナを使って、１次元コードに格納された医薬品に関する各種の情報を得ることができる。
さらに、この服薬管理ラベルＬ４によれば、透明の基材２０の接着面２１に、ＰＴＰシートＰ２のアルミシート３２上で各プレススルーパッケージＰ２１の各ポケット３０に対応する各位置の破断とともに切り開き可能に切り込み３４を形成したので、ＰＴＰシートＰ２のアルミシート３２上で各プレススルーパッケージＰ２１の各ポケット３０に対応する各位置の破断とともに服薬管理ラベルＬ４の接着面２１を同じ位置で切り開いて、このＰＴＰシートＰ２の各プレススルーパッケージＰ２１の各ポケット３０から医薬品を容易に取り出すことができ、また、この場合に、接着面２１の、ＰＴＰシートＰ２の破断部分に対応する部分に、粘着剤２３を塗布しない処理、又は塗布された粘着剤２３の接着機能を抑える処理が施されているので、医薬品に粘着剤２３が付着することがなく、医薬品を安心して服用することができる。
【符号の説明】
【００４０】
Ｌ１  服薬管理ラベル
１０  透明の基材
１１  接着面
１２  突出面
１３  粘着剤
１４  粘着剤
１５  記入ラベル
１５０  記入欄
１６  剥離シート
１６１  切り込み
Ｐ１  医薬品パッケージ
Ｌ２  服薬管理ラベル
２０  透明の基材
２１  接着面
２１１  切り込み
２２  突出面
２３  粘着剤
２４  粘着剤
２５Ｓ  ラベルシート
２５  記入ラベル
２５０  記入欄
２５１  切り込み
２６  剥離シート
２６１  切り込み
Ｐ２  ＰＴＰシート（医薬品パッケージシート）
Ｐ２１  プレススルーパッケージ（医薬品パッケージ）
３０  ポケット
３１  透明プラスチック成形フィルム
３２  アルミシート
３３  切り込み
Ｃ  カレンダー
Ｄ  手帳
Ｌ３  服薬管理ラベル
１７  折り目
１７０  切れ目
１７１  繋ぎ目
１８  ２次元コード（ＱＲコード（登録商標））
Ｌ４  服薬管理ラベル
２０１  基材延長部
２５２  ラベル付属シート
２７  折り目
２７０  切れ目
２７１  繋ぎ目
２８  ２次元コード（ＱＲコード（登録商標））
２９  折り目
２９０  切れ目
２９１  繋ぎ目
３４  切り込み
【図１】
2015033573.tif 000003
【図２】
2015033573.tif 000004
【図３】
2015033573.tif 000005
【図４】
2015033573.tif 000006
【図５】
2015033573.tif 000007
【図６】
2015033573.tif 000008
【図７】
2015033573.tif 000009
【図８】
2015033573.tif 000010
【図９】
2015033573.tif 000011
【図１０】
2015033573.tif 000012
【図１４】
2015033573.tif 000013
【図１１】
2015033573.tif 000014
【図１２】
2015033573.tif 000015
【図１３】
2015033573.tif 000016